(57)【要約】【課題】本発明は電池を収容する電池室を有する機器における電池収容構造、および電池室に収容された電池からの電力により外部との通信を行なう携帯端末に関し、電池室に収容された電池のガタを高い信頼性を持って確実に防止する。【解決手段】底板１１１が、電池ゴム１２に対向する部分に開口１１１ａを有するものであり、少なくとも一部分が底板１１１の開口１１１ａ内に入り込んだ、電池ゴム１２の開口側へのずれを防止する電池ゴムずれ防止部材１３を備えた。【選択図】      図９
2005005199.tif 000002
【特許請求の範囲】
【請求項１】
開口を有し底板と側壁で画定された電池室の下端側側壁に電池下端縁を受ける電池ゴムを備え、電池を装填するにあたり、該電池ゴムに電池下端縁を押し当て該電池下端縁を回動軸にして該電池を該底板に向けて回動させて該電池ゴムを圧縮した状態のまま該電池を該電池室に装填することにより、電池下端縁が該電池ゴムで押し上げられて該電池のガタを防止した状態に該電池を該電池室に収容する電池収容構造において、
前記底板が、前記電池ゴムに対向する部分に開口を有するものであり、
少なくとも一部分が前記底板の開口内に入り込んだ、前記電池ゴムの該開口側へのずれを防止する電池ゴムずれ防止部材を備えたことを特徴とする電池収容構造。
【請求項２】
前記電池ゴムは、前記底板とともに一体成形された下端側側壁に両面粘着テープで貼着されたものであることを特徴とする請求項１記載の電池室構造。
【請求項３】
前記下端側側壁が、前記底板の開口との間に前記電池ゴムを挟む位置に、該電池ゴムの前記電池室開口側の面を覆うリブを有することを特徴とする請求項１記載の電池室構造。
【請求項４】
電池が装填され該電池からの電力により外部との通信を行なう携帯端末において、
開口を有し底板と側壁で画定された凹形状を有するとともに下端側側壁に電池下端縁を受ける電池ゴムを備え、電池を装填するにあたり、該電池ゴムに電池下端縁を押し当て該電池下端縁を回動軸にして該電池を該底板に向けて回動させて該電池ゴムを圧縮した状態のまま該電池を装填することにより、電池下端縁が該電池ゴムで押し上げられて該電池のガタを防止した状態に該電池を収容する電池室を有し、
前記底板が、前記電池ゴムに対向する部分に開口を有するものであり、
少なくとも一部分が前記底板の開口内に入り込んだ、前記電池ゴムの該開口側へのずれを防止する電池ゴムずれ防止部材を備えたことを特徴とする携帯端末。
【発明の詳細な説明】
【０００１】
【発明の属する技術分野】
本発明は電池を収容する電池室を有する機器における電池収容構造、および電池室に収容された電池からの電力により外部との通信を行なう携帯端末に関する。
【０００２】
【従来の技術】
従来より、例えば携帯電話等の携帯端末、あるいはさらに広範な様々の機器が、電池室に電池が装填され電池からの電力により動作するように構成されている。
【０００３】
このような機器では、電池室に装填された電池を電池室内に安定的に保持するために、電池室内の電池を弾性部材等により片寄せさせることにより電池のガタを防止した電池収容構造が知られている（例えば特許文献１参照）。その一例として、特許文献１に開示された電池収容構造は、凹形状の電池室に電池を収容し、その電池室を電池蓋で覆う構造において、その凹形状の電池室の底部に、電池を電池蓋側に押圧する弾性腕を設けた構造のものであり、電池室に装填された電池の、電池室底部と電池蓋とを結ぶ方向のガタを防止する構造のものである。
【０００４】
これに対し、電池室底面に沿う方向の電池のガタを防止する電池収容構造も考えられている。
【０００５】
図１は携帯電話における電池収容構造の一例を示す図、図２は、図１の円Ｒ内部の部分の拡大図である。
【０００６】
図１には、携帯電話の一部分の断面が示されており、携帯電話の筺体の一部を成すモールド品１０に、様々な回路部品が搭載された回路基板２０が取り付けられている。また、このモールド品１０には、電池室１１が設けられている。この電池室１１は、図１の左側に開口を有し、底板１１１とその底板１１１の周囲を取り巻く側壁１１２とで画定されている。この電池室１１には電池３０が収容されている。これら底板１１１を側壁１１２は、モールド品１０として一体に成形されたものである。電池３０が収容された電池室１１には、図示しない電池蓋が被せられる。電池室１１を画定している側壁１１２のうちの下端側側壁１１２ａには電池ゴム１２が両面粘着テープ（図示せず）で固定されており、電池３０の下端縁３１はその電池ゴム１２の上に乗り、その電池ゴム１２の弾性力により上方に付勢され、これにより、電池３０の底板１１１に沿う方向のガタが防止され、電池と携帯電話本体との間の電気的接続を確実に確保している。
【０００７】
ここで、電池３０を電池室１１に装填するにあたっては、先ず電池３０の下部のみを電池室１１に入れて電池３０の下端縁３１を電池ゴム１２に押し当てる。そうしておいて、次にその電池ゴム１２に押し当てた下端縁を回動中心にして電池３０を電池室１１の底板１１１に向けて回動させる。こうすることにより、電池ゴム１２が圧縮した状態のまま電池３０が電池室１１に装填される。
【０００８】
また、図２に示すように、電池室底板１１１の、電池ゴム１２に対向する部分には開口１１１ａが形成されており、また、電池室１１の下端側側壁１１２ａには、電池ゴム２１の電池室入口側（底板１１１の開口１１１ａとの間に電池ゴム１２を挟んだ位置）に、電池ゴム１２の電池室開口側の面１２ａを覆うリブ１１２ｂが形成されている。
【０００９】
ここで、このモールド品を製造するにあたっては、図１，図２の左右方向に割れる割り金型が用いられており、図１，図２の右側に割れる金型でリブ１１２ｂを作る必要上、底板１１２ａには必然的に開口１１１ａが形成される。
【００１０】
【特許文献１】
特開平８−３３０２６号公報
【００１１】
【発明が解決しようとする課題】
ここで、図１に示す電池室１１から電池３０を取り外す際は、電池３０を電池室１１に装填するときとは逆の操作を行なう。すなわち、図２に示すように、電池３０の下端縁３１を電池ゴム１２に押し当てた状態のまま、電池３０の上側を、その電池ゴム１２に押し当てた下端縁３１を回動中心にして矢印Ｘ方向に回動させてから電池３０の下端縁を電池室から取り出す。
【００１２】
ここで、電池３０の、矢印Ｘ方向への回動操作の際に、電池ゴム１２は矢印Ｙ方向への力を受けることになり、電池ゴム１２がその矢印Ｙ方向にずれて外れてしまうおそれがある。この電池ゴム１２が正規の位置から外れてしまうと、次に電池を装填したときに、その電池３０を底板１１１に沿って押し上げる付勢力が働かず、電池室内で電池がガタついたり、電池と携帯電話との電気的な接触不良が生じるおそれがある。
【００１３】
このような事故の発生を防止するために、モールド品製造用の金型を変更することが考えられる。
【００１４】
図３は、上記の問題の解決法の一例を示す、図１の円Ｒの内部に相当する部分を示す図である。
【００１５】
この図３には、図２に示す底板１１１の開口１１１ａが塞がれた構造が示されている。
【００１６】
この場合、電池室から電池３０を取り出そうとして電池３０を矢印Ｘ方向に回動し電池ゴム１２が矢印Ｙ方向への力を受けても、底板１１１に阻まれて電池ゴム１２はその正規の位置にとどまり、上記のような問題の発生が防止される。
【００１７】
しかしながら、この図３の構造のモールド品を成形するには、底板１１１とリブ１１２ｂとに挟まれた、電池ゴム１２を収容する窪みを作る必要があり、金型の、その窪みを作る部分を、図３の上方に一旦スライドさせてから金型を割るという金型構造が必要となり、金型作製の工数アップとなり、さらに、その金型を使ってモールド品を製造するにあたっても、スライドさせる工程が必要なため工数アップとなる。さらに、そのスライドの部分に、図３に一点鎖線で示すようなアンダカット１１１ｂを設けることができないなど、その携帯電話の筐体の設計における大きな制約条件となる。
【００１８】
図４は、上記の問題の解決法のもう１つの例を示す、図１の円Ｒの内部に相当する部分を示す図である。
【００１９】
この図４にも、図３の場合と同様、図２に示す、底板１１１の開口１１１ａが塞がれた構造が示されている。ただし、この図４の場合は、図２，図３に示すリブ１１２ｂが形成されておらず、電池ゴム１２の電池室開口側の面１２ａが剥き出しになっている。
【００２０】
この図４の構造のモールド品を成形するには、図４の左側に割る金型で、図２では開口１１１ａが形成されている部分を含め底板１１１の電池室側の面を形成する。こうすれば図２に示す開口１１１ａを塞いだ形状のモールド品を作ることができ、図３の場合のようなスライド構造も不要である。
【００２１】
しかしながら、図４の構造の場合、電池ゴム１２の電池室開口側の面１２ａが剥き出しになっているため、電池３０の着脱の際に電池３０の下端縁３１がその面１２ａに当たり、その面１２ａに当たると電池ゴム１２に横方向（矢印Ｙ方向）の強い力が加わり、その結果、底板１１１側が塞がれていても電池ゴム１２が剥がれてしまうおそれがある。
【００２２】
本発明は、上記事情に鑑み、電池室内に収容された電池のガタを防止する信頼性の高い構造を持った電池収容構造およびそのような電池収容構造を備えた携帯端末を提供することを目的とする。
【００２３】
【課題を解決するための手段】
上記目的を達成する本発明の電池収容構造は、開口を有し底板と側壁で画定された電池室の下端側側壁に電池下端縁を受ける電池ゴムを備え、電池を装填するにあたり、その電池ゴムに電池下端縁を押し当て該電池下端縁を回動軸にして電池を該底板に向けて回動させて電池ゴムを圧縮した状態のまま電池を電池室に装填することにより、電池下端縁が電池ゴムで押し上げられて電池のガタを防止した状態に電池を電池室に収容する電池収容構造において、上記底板が、電池ゴムに対向する部分に開口を有するものであり、少なくとも一部分が底板の開口内に入り込んだ、電池ゴムのその開口側へのずれを防止する電池ゴムずれ防止部材を備えたことを特徴とする。
【００２４】
本発明の電池収容構造は、電池室の底板は、例えば図１，図２に示すように開口を有するものであるが、少なくとも一部分がその開口内に入り込んで電池ゴムのその開口側へのずれを防止する電池ゴムずれ防止部材を備えたことにより、電池ゴムがずれて外れてしまうという事故の発生が防止され、信頼性の高い電池収容構造が実現する。
【００２５】
ここで、本発明の電池収容構造において、電池ゴムは、底板とともに一体成形された下端側側壁に両面粘着テープで貼着されたものであってもよく、また、本発明の電池収容構造において、下端側側壁が、底板の開口との間に電池ゴムを挟む位置に、電池ゴムの電池室開口側の面を覆うリブを有することが好ましい。
【００２６】
また、上記目的を達成する本発明の携帯端末は、電池が装填されその電池からの電力により外部との通信を行なう携帯端末において、開口を有し底板と側壁で画定された凹形状を有するとともに下端側側壁に電池下端縁を受ける電池ゴムを備え、電池を装填するにあたり、その電池ゴムに電池下端縁を押し当て電池下端縁を回動軸にして電池を底板に向けて回動させて電池ゴムを圧縮した状態のまま電池を装填することにより、電池下端縁が電池ゴムで押し上げられて電池のガタを防止した状態に電池を収容する電池室を有し、上記底板が、電池ゴムに対向する部分に開口を有するものであり、少なくとも一部分が底板の開口内に入り込んだ、電池ゴムの開口側へのずれを防止する電池ゴムずれ防止部材を備えたことを特徴とする。
【００２７】
ここで、本発明の携帯端末においても、電池ゴムは、底板とともに一体成形された下端側側壁に両面粘着テープで貼着されたものであってもよく、また、下端側側壁が、底板の開口との間に電池ゴムを挟む位置に、電池ゴムの電池室開口側の面を覆うリブを有することが好ましい。
【００２８】
【発明の実施の形態】
以下、本発明の実施形態について説明する。
【００２９】
尚、ここでの実施形態の説明にあたり、前述した図１，図２における各部分に対応する部分には、図１，図２に付した符号と同一の符号を付して示し、相違点を中心に説明する。
【００３０】
図５は、本発明の一実施形態としての電池収容構造を有する、本発明の携帯端末の一実施形態としての携帯電話の外観斜視図である。この携帯電話１００は、表示画面１４１、通話口１４２およびアンテナ１４３などが組み込まれた上部１４０と、キー操作パネル１５１や受話口１５２などが形成された下部１５０とがヒンジ１６０で開閉自在に連結された折り畳み式の携帯電話である。この携帯電話１００の下部１５０は、背面側のモールド品１０と前面側のモールド品１５５とを重ねた構造を有しており、それらの両モールド品１０，１５５の間に各種の回路部品が搭載された回路基板や受話口１５２に対応した位置にマイクロホンなどが組み込まれている。
【００３１】
また、この携帯電話１００の上部１４０も同様に背面側のモールド品１４４と前面側のモールド品１４５とを重ねた構造を有しており、それら２枚のモールド品１４４，１４５どうしの間に各種の内容物を収容した構造となっている。本実施形態の特徴部分は、この図５に示す携帯電話１００の下部１５０を構成する背面側のモールド品１０にあり、以下、このモールド品を中心に説明する。
【００３２】
図６は、図５に示す携帯電話１００の下部１１０を構成する背面側のモールド品１０を、図５の携帯電話１００背面側斜めから見て示す斜視図である。この図６に示すモールド品１０には、例えば記憶媒体が装着される媒体装着部１２６など、各種の構成部品が組み込まれているが、ここでは、本実施形態のの特徴部分に関することを中心に説明し、他の部分については説明を省略することがある。
【００３３】
このモールド品１０には、この図６の上方に開口を有し、底板１１１とその底板１１１を取り囲むように形成された側壁１１２とで画定された電池室１１が形成されている。この電池室１１を画定する側壁１１２のうちの下端側側壁１１２ａには、電池ゴム１２が２カ所に配置されており、またその下端側側壁１１２ａには、電池ゴム１２の電池室開口側の面を塞ぐリブ１１２ｂが形成されている。
【００３４】
一方、電池３０にはラベル３２が貼付され、またその電池３０下端縁３１には、電池室１１に配置された２つの電池ゴム１２に対応する位置に突起３１ａが２つ形成されている、電池３０を電池室１１に装填するにあたっては、電池３０の下端縁３１に設けられた突起３１ａを電池室下端の電池ゴム１２に押し当て、そこを回動中心にして電池３０を矢印Ｚ方向に回動させる。こうすることにより、電池３０が電池室１１に装填されるとともに、電池ゴム１２により押されてガタが防止された状態となる。
【００３５】
図７は、図６に示すモールド品１０の背面図、図８は、図７の矢印Ａ−Ａに沿う、モールド品１０の断面図、図９は、図８に示す円Ｒの内部の部分構造を示す拡大図である。
【００３６】
図７には、電池３０が電池室１１に装填された状態が示されている。
【００３７】
電池室１１の上部両側には、図６に示すような、側壁１１２の上側の部分が削り取られた形状の部分１１２ｃが設けられており、電池３０には、その部分１１２ｃに対応する位置に、横に少し突き出た指掛り部３３が形成されており、電池室１１に装填された状態にある電池３０をその電池室１１から取り外すにあたっては、電池３０の指掛り部３３に指を掛けて、電池３０の下端縁３１を回動中心にして電池３０を電池室１１から取り出す方向に回動させて電池３０の上部を電池室１１から取り出し、その後電池３０の下端側についても電池室１１から取り出す操作が行なわれる。
【００３８】
図８，図９は、それぞれ前掲の図１，図２に対応する図であり、図１，図２との相違点は、電池ゴムずれ防止部材１３が備えられている点である。この電池ゴムずれ防止部材１３は、電池室を画定する底板１１１に設けられた開口１１１ａに一部が入り込んで電池ゴム１２の底板側の面１２ｂを押える電池ゴム押え部１３１を有し、この電池ゴムずれ防止部材１３は、底板１１１の裏面に両面粘着テープ（図示せず）で貼着されており、かつ回路基板２０側に延びるアーム１３２を有する。したがってこの電池ゴムずれ防止部材１３は、電池室内に装填されている電池３０が矢印Ｘ方向に回動され、その結果電池ゴム１２に矢印Ｙ方向の力が働いても、その電池ゴム１２は、電池ゴムずれ防止部材１３の、電池ゴム押え部１３１に当接する。電池ゴムずれ防止部材１３は、底板１１１への貼着とアーム１３２の回路基板２０への当接とでその電池ゴムずれ防止部材１３自身の位置ずれが防止されているため、電池ゴム１２は電池ゴムずれ防止部材１３の電池ゴム押え部１３１により矢印Ｙ方向の力を受けてもそのずれが防止される。したがって、電池３０が次に装填された際も電池ゴム１２が確実に作用し、装填された電池３０のガタが防止され、電池と携帯電話との電気的な導通が確実に保持される。
【００３９】
また、このモールド品を成型する金型は、図１，図２の場合と同様、図８，図９の左右に単純に割れる金型でよく、スライド構造は不要である。
【００４０】
尚、ここでは、電池ゴムずれ防止部材１３は、底板１１１に両面粘着テープで貼着する旨説明したが、例えば底板１１１にビス止めされてもよく、その電池ゴムずれ防止部材１３の固定手段の如何を問うものではない。また、電池ゴムズレ防止部材１３の形状も、図８，図９に示す形状に限られるものではなく、少なくとも一部が開口１１１ａに入り込んで電池ゴム１２の矢印Ｙ方向のずれを防止する形状のものであればよい。
【００４１】
ここでは携帯電話を取り上げて説明したが、本発明は携帯電話にのみ適用されるものではなく、電池が装填され、その電池からの電力により外部との通信を行なう機能を有する携帯端末に適用することができ、さらに広範に、電池が装填されその電池からの電力により動作する機器であれば全て本発明を適用することができる。
【００４２】
【発明の効果】
以上説明したように、本発明によれば、電池室に収容された電池のガタが高い信頼性を持って確実に防止される。
【図面の簡単な説明】
【図１】携帯電話における電池収容構造の一例を示す図である。
【図２】図１の円Ｒ内部の部分の拡大図である。
【図３】問題の解決法の一例を示す、図１の円Ｒの内部に相当する部分を示す図である。
【図４】問題の解決法のもう１つの例を示す、図１の円Ｒの内部に相当する部分を示す図である。
【図５】本発明の一実施形態としての電池収容構造を有する、本発明の携帯端末の一実施形態としての携帯電話の外観斜視図である。
【図６】図５に示す携帯電話の下部を構成する背面側のモールド品を、図５の携帯電話背面側斜めから見て示す斜視図である。
【図７】図６に示すモールド品の背面図である。
【図８】図７の矢印Ａ−Ａに沿う、モールド品の断面図である。
【図９】図８に示す円Ｒの部分構造を示す拡大図である。
【符号の説明】
１０  モールド品
１１  電池室
１１１  底板
１１１ａ  開口
１２  電池ゴム
１１２  側壁
１１２ａ  下端側側壁
１１２ｂ  リブ
１１２ｃ  削り取られた部分
１３  電池ゴムずれ防止部材
１３１  電池ゴム押え部
１３２  アーム
２０  回路基板
３０  電池
３１  下端縁
３１ａ  突起
３２  ラベル
３３  指掛り部
１００  携帯電話
【図１】
2005005199.tif 000003
【図２】
2005005199.tif 000004
【図３】
2005005199.tif 000005
【図４】
2005005199.tif 000006
【図５】
2005005199.tif 000007
【図６】
2005005199.tif 000008
【図７】
2005005199.tif 000009
【図８】
2005005199.tif 000010
【図９】
2005005199.tif 000011